(57)【特許請求の範囲】
【請求項１】
伝票入力業務を含む複数の情報処理業務を実行可能で、前記伝票入力業務の実行時には、表示部に伝票入力画面を表示させるとともに、伝票に記録された伝票番号を含む各種項目情報の入力を受付け、入力部を介して各種項目情報が入力される毎にその入力情報を前記表示部の伝票入力画面に表示させ、各種項目情報を入力し終えるとその入力情報を元に前記伝票の情報管理レコードを作成して伝票ファイルに登録処理する情報処理装置において、
前記伝票ファイルに情報管理レコードが登録された伝票の伝票番号を記憶する登録済伝票番号記憶部と、
前記伝票入力業務の実行中に他の業務への切替えが指令されると、前記伝票入力画面に表示されている入力情報を格納した保留ファイルを作成する保留ファイル作成手段と、
この作成手段により作成した保留ファイルを記憶保持する保留ファイル記憶手段と、
前記伝票入力業務の開始が指令されると、前記保留ファイル記憶手段により前記保留ファイルを記憶保持しているか否かをチェックする保留有無チェック手段と、
このチェック手段により前記保留ファイルを記憶保持していることを確認すると、当該保留ファイルに格納された入力情報を表示した伝票入力画面を前記表示部に表示させる伝票入力画面復元手段と、
この復元手段によって復元された伝票入力画面の一部に前記入力済伝票番号記憶部で記憶した伝票番号を表示させる入力済伝票番号表示制御手段と、
を具備したことを特徴とする情報処理装置。
【請求項２】
入力済伝票番号表示制御手段は、最新の伝票番号を表示させることを特徴とする請求項１記載の情報処理装置。
【発明の詳細な説明】
【０００１】
【発明の属する技術分野】
本発明は、伝票入力業務を有するＰＯＳ（Point Of Sales：販売時点情報管理）ターミナル等の情報処理装置に関する。
【０００２】
【従来の技術】
一般に、ＰＯＳターミナルは、店の会計場所に設置され、買物客が買上げる各商品の販売データを売上集計ファイルに商品別に登録処理する販売登録業務に供せられている。この種のＰＯＳターミナルにおいて、従来より、販売登録業務とは別に伝票入力業務を備えたものが知られている。
【０００３】
伝票入力業務は、例えば各商品を卸業者等から仕入れる際に発行される仕入伝票に記録された情報を登録処理するための業務である。具体的には、伝票入力業務が開始されると、表示部に伝票入力画面を表示させて仕入伝票に記録された伝票番号，仕入先コード，仕入れ商品明細情報（商品コード，原単価，数量等）等の各種項目情報の入力を受付ける。この状態で、キーボードから各種項目情報が入力される毎に、その入力情報を伝票入力画面に項目別に表示させる。そして、１枚の仕入伝票に関する全項目情報を入力し終えると、その入力情報を元に仕入伝票の情報管理レコードを作成し、伝票ファイルに登録処理するものとなっている。
【０００４】
こうして、伝票ファイルに登録処理された各仕入伝票のデータは、売上集計ファイルに登録処理されている各商品の売上データとともに、各商品の在庫管理に利用されていた。すなわち、各商品毎に仕入れ数から売上数を減じた値をその商品の在庫数としてリアルタイムに管理し、品切れによる販売チャンスロスの低減や余剰在庫による損失の低減を図っていた。
【０００５】
ところで、各商品の在庫数をリアルタイムに管理するためには、仕入れがある毎に仕入商品のデータ，つまりは仕入伝票のデータをＰＯＳターミナルから入力する必要がある。そのためには、店の営業中でもＰＯＳターミナルの業務を販売登録業務から伝票入力業務に切替えて、仕入伝票のデータを入力しなければならなかった。
そこで従来は、営業中でも仕入れがあると、買物客の少ない時間を見計らってＰＯＳターミナルの業務を販売登録業務から伝票入力業務に切替えて、仕入伝票のデータを入力していた。
【０００６】
【発明が解決しようとする課題】
しかしながら、仕入伝票は仕入先毎に発行されるので、例えばスーパーマーケットやコンビニエンスストアなどのように本部が各仕入先から仕入れた商品をまとめて各店に配送するシステムの店では、１回の仕入れで大量の仕入伝票が発生していた。このため、買物客が居ないことを確認してＰＯＳターミナルの業務を販売登録業務から伝票入力業務に切替えても、データの入力に時間が掛かりすぎて業務途中で買物客が来店してしまい、販売登録業務に戻さなければならない事態を生じる場合があった。
【０００７】
このような場合、従来は、仕入伝票のデータ入力が完了するまで買物客に会計を待ってもらうか、仕入伝票のデータ入力の途中で伝票入力業務を一旦終了させて販売登録業務に移行し、販売登録業務終了後、再び伝票入力業務に切替えて、仕入伝票のデータ入力を再開しかなかった。
【０００８】
しかし、伝票入力業務の継続という店側の事情で買物客に会計を待ってもらうのはサービス性が悪く、好ましくなかった。他方、仕入伝票のデータ入力の途中で伝票入力業務を一旦終了させてしまうと、その途中まで入力していたデータが無効になる上、どの伝票まで入力し終えたのかオペレータが忘れてしまって同一伝票のデータを重複して入力してしまったり、データ入力漏れの伝票が発生して、在庫管理が不正確なものになるおそれがあった。
【０００９】
本発明はこのような事情に基づいてなされたもので、その目的とするところは、伝票入力業務の途中で他の業務に一旦移行し、その後再び伝票入力業務に戻った際には中断時の伝票データから正確に入力を再開することができ、伝票データの重複入力や入力漏れを確実に防止できる情報処理装置を提供しようとするものである。
【００１０】
【課題を解決するための手段】
本願請求項１記載の発明は、伝票入力業務を含む複数の情報処理業務を実行可能で、伝票入力業務の実行時には、表示部に伝票入力画面を表示させるとともに、伝票に記録された伝票番号を含む各種項目情報の入力を受付け、入力部を介して各種項目情報が入力される毎にその入力情報を表示部の伝票入力画面に表示させ、各種項目情報を入力し終えるとその入力情報を元に伝票の情報管理レコードを作成して伝票ファイルに登録処理する情報処理装置において、伝票ファイルに情報管理レコードが登録された伝票の伝票番号を記憶する登録済伝票番号記憶部と、伝票入力業務の実行中に他の業務への切替えが指令されると、伝票入力画面に表示されている入力情報を格納した保留ファイルを作成する保留ファイル作成手段と、この作成手段により作成した保留ファイルを記憶保持する保留ファイル記憶手段と、伝票入力業務の開始が指令されると、保留ファイル記憶手段により保留ファイルを記憶保持しているか否かをチェックする保留有無チェック手段と、このチェック手段により保留ファイルを記憶保持していることを確認すると、当該保留ファイルに格納された入力情報を表示した伝票入力画面を表示部に表示させる伝票入力画面復元手段と、この復元手段によって復元された伝票入力画面の一部に入力済伝票番号記憶部で記憶した伝票番号を表示させる入力済伝票番号表示制御手段とを備えたものである。
このような構成の請求項１記載の発明においては、伝票入力業務の実行により伝票ファイルに情報管理レコードが登録される毎に、その伝票の伝票番号が登録墨伝票番号記憶部に記憶される。また、伝票入力業務の実行中に他の業務への切替えが指令された場合には、伝票入力画面に表示されている入力情報を格納した保留ファイルが作成される。そして、この保留ファイルは保留ファイル記憶手段によって安定に記憶保持される。その後、伝票入力業務の再開が指令されると、保留ファイル記憶手段により保留ファイルが記憶保持されているので、その保留ファイルに格納された入力情報を表示した伝票入力画面が表示部に表示される。したがって、伝票入力業務を中断した際に入力途中であった伝票のデータは破棄されておらず、入力途中から継続してデータ入力を再開することができる。また、この伝票入力画面の一部に、入力済伝票番号記憶部で記憶した伝票番号が表示されるので、入力済の伝票と未入力の伝票とを容易に区別することができる。
【００１１】
本願請求項２記載の発明は、上記請求項１記載の発明において、入力済伝票番号表示制御手段を、最新の伝票番号を表示させる手段としたものである。
このような手段を採用したことにより、伝票入力業務を途中で一旦停止して他の業務処理を行った後、再び伝票入力業務に戻った際には、前回の伝票入力業務で伝票ファイルに最後に情報管理レコードが登録された伝票の伝票番号を確認できるので、例えば伝票番号が連続する伝票のデータを番号順に入力していた場合には、少ない情報量で前回の伝票入力業務ではどの伝票まで入力し終えたのかを容易に把握することができる。
【００１２】
【発明の実施の形態】
以下、本発明の一実施の形態を図面を用いて説明する。
なお、この実施の形態は、本発明を伝票入力業務を有するＰＯＳターミナルに適用した場合である。
【００１３】
図１は本実施の形態におけるＰＯＳターミナルの要部構成を示すブロック図であり、このＰＯＳターミナルは、制御部本体としてＣＰＵ（Central Processing Unit）１を搭載している。また、プログラムなどの固定的データを格納したＲＯＭ（Read Only Memory）２、ＣＰＵ１のデータ処理等で使用する各種のメモリエリアを形成したＲＡＭ（Random Access Memory）３、現在の日付及び時刻を計時する時計部４、通信回線を介して接続されるストアコンピュータ（不図示）との間で行うデータ通信を制御する通信インタフェース５の他、ドロワ６に開放指令信号を出力するＩ／Ｏ（Input/Output）ポート７、ＦＤＤ（Floppy Disk Drive）装置８の駆動を制御するＦＤＤコントローラ９、ＨＤＤ（Hard Disc Drive）装置１０の駆動を制御するＨＤＤコントローラ１１、キーボード１２のキー操作により発生するキー信号を取込むキーボードコントローラ１３、スキャナ１４のスキャニング操作により発生するコード信号を取込むスキャナコントローラ１５、ディスプレイ１６の駆動を制御し表示データに対応した画面を表示させる表示コントローラ１７及びプリンタ１８の駆動を制御しレシート印字等を行わせるプリンタコントローラ１９を搭載している。
そして、前記ＣＰＵ１と、ＲＯＭ２，ＲＡＭ３，時計部４，通信インタフェース５，Ｉ／Ｏポート７及び各コントローラ９，１１，１３，１５，１７，１９とを、アドレスバス，データバス等のバスライン２０で接続して、ＰＯＳターミナルの制御回路を構成している。
【００１４】
前記キーボード１２は、図２に示すように、数値データを置数入力するための置数キー２１の他、メニューキー２２、小計キー２３、預／現計キー２４、クリアキー２５、×キー２６、金額キー２７、ＰＬＵ（Price Look Up）キー２８、保留キー２９などの各種ファンクションキーを配設したものである。
【００１５】
前記メニューキー２２は、当該ＰＯＳターミナルが実行可能な各種業務の選択メニュー画面をディスプレイ１６に表示させるキーである。因みに、当該ＰＯＳターミナルは、キーボード１２及びスキャナ１４の入力部を介して入力される各商品販売データを売上集計ファイルに商品別に登録処理する販売登録業務の他に、特に、仕入伝票に関する各種項目情報の入力を受付け、上記入力部を介して各種項目情報が入力されるとその入力情報を元に仕入伝票の情報管理レコードを作成し、伝票ファイルに登録処理する伝票入力業務を実行可能となっている。
【００１６】
前記小計キー２３は、販売登録業務選択時には１取引の小計出力を指令するためのキーとして機能し、伝票入力業務選択時には１項目情報の入力終了を指令するキーとして機能する。
前記預／現計キー２４は、販売登録業務選択時には１取引の商品登録終了を宣言する締めキーとして機能し、伝票入力業務選択時には伝票の全項目情報の入力完了を指令するキーとして機能する。
【００１７】
前記クリアキー２５は、置数データのクリア及びエラー状態の解除を指令するキーとして機能する。
前記×キー２６は、置数データが数量であることを指令するキーであり、金額キー２７は、置数データが金額であることを指令するキーであり、ＰＬＵキー２８は、置数データが商品コード（ＰＬＵコード）であることを指令するキーである。
前記保留キー２９は、伝票入力業務の実行途中で他の業務に移行することを宣言するキーで、業務中断指令手段として機能する。
【００１８】
さて、本実施の形態のＰＯＳターミナルは、前記伝票入力業務を効率よく実行できるように、ディスプレイ１６をＣＲＴディスプレイなどの画面表示装置としている。そして、前記伝票入力業務の実行時には、このディスプレイ１６に、図３に示すレイアウトの仕入伝票入力画面３０を表示するものとなっている。因みに、図３において、領域３１は項目情報を入力する仕入伝票に付された伝票番号を表示するエリアであり、領域３２は仕入先コードを表示するエリアであり、領域３３はその仕入先コードで識別される仕入先名を表示するエリアであり、領域３４は最大６品目分の仕入商品の明細情報（商品コード，原単価，数量，金額）を表示するエリアであり、領域３５は、仕入商品の合計数量を表示するエリアであり、領域３６は仕入商品の合計金額を表示するエリアである。また、領域３７は、全項目情報の入力を終えた最新の仕入伝票の伝票番号（前回伝票番号）と、今回の伝票入力業務で項目情報の入力を予定している仕入伝票の枚数（入力予定枚数）と、今回の伝票入力業務で項目情報の入力を終えた仕入伝票の枚数（入力済枚数）とを表示するエリアである。
【００１９】
また、本実施の形態のＰＯＳターミナルは、前記売上登録業務と伝票入力業務とを実行可能とするために、図４に示すようにＨＤＤ装置１０によってアクセスされるハードディスクまたはＦＤＤ装置８によってアクセスされるフロッピーディスクの補助記憶媒体４０に、商品ファイル４１、仕入先ファイル４２及び仕入伝票ファイル４３を予め形成している。
【００２０】
前記商品ファイル４１は、各商品にそれぞれ付される商品コード（ＰＬＵコード）に対応してその商品の品名，売単価等を設定記憶するとともに、各商品の販売点数及び販売金額を商品コード別に累計記憶するファイルであり、売上集計ファイルとして機能する。
【００２１】
前記仕入先ファイル４２は、各種商品の仕入先にそれぞれ付される仕入先コードに対応して仕入先名などを設定記憶したファイルである。
前記仕入伝票ファイル４３は、当該ＰＯＳターミナルの伝票入力業務において各種項目情報が入力された仕入伝票の情報管理レコードを蓄積記憶するファイルである。
そして、本実施の形態のＰＯＳターミナルは、図４に示すように上記補助記憶媒体に、図中４４Ａに示すデータ項目ａ〜ｊからなる保留ファイル４４を一時的に記憶保持するようになっており、ここに、上記補助記憶媒体は保留ファイル記憶手段を構成するものとなっている。
【００２２】
また、本実施の形態のＰＯＳターミナルは、ＣＰＵ１が伝票入力業務のデータ処理を実行する際に使用するメモリ領域として、ＲＡＭ３に、図５に示す如く、前回伝票番号エリアＡ，入力予定枚数エリアＢ，入力済枚数エリアＣ，今回伝票番号エリアＤ，仕入先コードエリアＥ，仕入先名エリアＦ，第１〜第６の商品明細情報エリアＧ１〜Ｇ６，合計数量エリアＨ，合計金額エリアＩ及び入力位置ＮｏエリアＪからなる入力ワークメモリ５１を形成している。そして、ＣＰＵ１は、上記入力ワークメモリ５１の内容に基づいて前記仕入伝票の情報管理レコードを作成したり、前記保留ファイル４４を作成するものとなっている。
【００２３】
因みに、保留ファイル４４の伝票番号ｄは入力ワークメモリ５１のエリアＤのデータであり、仕入先コードｅは同メモリ５１のエリアＥのデータであり、仕入先名ｆは同メモリ５１のエリアＦのデータであり、前回伝票番号ａは同メモリ５１のエリアＡのデータであり、１行目から６行目までの商品明細データｇ１〜ｇ６は同メモリ５１のエリアＧ１〜Ｇ６のデータであり、合計数量ｈは同メモリ５１のエリアＨのデータであり、合計金額ｉは同メモリ５１のエリアＩのデータであり、入力位置No．ｊは同メモリ５１のエリアＪのデータである。
【００２４】
しかして、本実施の形態のＰＯＳターミナルは、伝票入力業務の選択時にＣＰＵ１が図６，７，８の流れ図に示すデータ処理を実行するようにプログラムを構成している。
すなわち、ＣＰＵ１は、メニューキー２２の押下によりディスプレイ１６に業務メニュー選択画面を表示させた状態で、キーボード１２のキー操作により伝票入力業務が選択されると、図６，７の流れ図に示す処理を開始する。
【００２５】
先ず、ＳＴ１として保留ファイル記憶手段を構成する補助記憶媒体（ハードディスクまたはフロッピーディスク）４０に保留ファイル４４が記憶保持されているか否かを判断する（保留有無チェック手段）。そして、記憶保持されていない場合にはＳＴ２に進み、ＲＡＭ３に形成した入力ワークメモリ５１の各エリアＡ〜Ｊを“０”に初期化する。
【００２６】
次に、ＳＴ３としてディスプレイ１６に前記仕入伝票入力画面３０の初期画面（各領域３１〜３７から表示データが消去されている状態の画面）を表示させたならばＳＴ４に進み、画面上のカーソルを領域３７内の２行目（入力予定枚数の位置）に表示させて、今回の伝票入力業務で項目情報の入力を予定している仕入伝票の枚数，すなわち入力予定枚数が入力されるのを待機する。
この状態で、キーボード１２の置数キー２１により所定桁数の数値データが置数入力され、続いて小計キー２３が押下されると、ＳＴ５として上記数値データを入力予定枚数として取込み、入力ワークメモリ５１のエリアＢに格納する。
【００２７】
次に、ＳＴ６として同入力ワークメモリ５１のエリアＡ，Ｂ，Ｃに記憶している前回伝票番号，入力予定枚数及び入力済枚数の各データを仕入伝票入力画面３０の領域３７に表示させたならばＳＴ７に進み、カーソルを領域３１内に表示させて、伝票番号が入力されるのを待機する。
この状態で、キーボード１２の置数キー２１により所定桁数の数値データが置数入力され、続いて小計キー２３が押下されると、ＳＴ８として上記数値データを仕入伝票の伝票番号として取込み、入力ワークメモリ５１のエリアＤに格納する。また、この伝票番号を仕入伝票入力画面３０の領域３１に表示させる。
【００２８】
次に、ＳＴ９としてカーソルを領域３２内に表示させて、仕入先コードが入力されるのを待機する。
この状態で、キーボード１２の置数キー２１により所定桁数の数値データが置数入力され、続いて小計キー２３が押下されると、ＳＴ１０として上記数値データを仕入先コードとして取込み、入力ワークメモリ５１のエリアＥに格納する。また、仕入先ファイル４２を検索して、当該仕入先コードに対応する仕入先名データを読込み、入力ワークメモリ５１のエリアＦに格納する。そして、上記仕入先コード及び仕入先名を仕入伝票入力画面３０の領域３２及び領域３３にそれぞれ表示させる。
【００２９】
次に、ＳＴ１１としてカーソルを領域３４内の１行目に表示させて、仕入商品の商品コード，原単価及び数量が入力されるのを待機する。そして、キーボード１２の置数キー２１とＰＬＵキー２８により商品コードが入力され、続いて置数キー２１と金額キー２７により原単価が入力され、最後に置数キー２１と×キー２６により数量が入力されるとＳＴ１２に進み、入力ワークメモリ５１のエリアＪで記憶している入力位置Ｎｏ．ｎを“１”だけ増加する。また、数量と原単価とを乗算して金額を算出する。そして、入力ワークメモリ５１の第ｎの仕入商品明細情報エリアＧｎ（ｎは入力ワークメモリ５１のエリアＪで記憶している入力位置Ｎｏ．）に、上記商品コード，原単価，数量及び金額を格納する。また、上記商品コード，原単価，数量及び金額を仕入伝票入力画面３０の領域３４の入力Ｎｏ．ｎ行に表示させる。
【００３０】
次に、ＳＴ１３として入力ワークメモリ５１のエリアＪで記憶している入力位置Ｎｏ．ｎが仕入伝票入力画面３０の領域３４の最大表示行数，つまりは「６」を超えたか否かを判断する。そして、超えていない場合にはＳＴ１４に進み、キーボード１２の入力完了キー，つまりは預／現計キー２４が押下されたか否かを判断する。そして、預／現計キー２４が押下されていない場合には、ＳＴ１１に戻り、カーソルを領域３４内のｎ＋１行目に表示させて、次の仕入商品の商品コード，原単価及び数量が入力されるのを待機する。
【００３１】
こうして、ＳＴ１３にて入力位置Ｎｏ．ｎが仕入伝票入力画面３０の領域３４の最大表示行数を超えたと判断するか、ＳＴ１４にて預／現計キー２４が押下されたと判断するとＳＴ１５に進み、入力ワークメモリ５１の第１〜第６の商品明細情報エリアＧ１〜Ｇ６で記憶している数量の合計と金額の合計を算出する。そして、ＳＴ１６として合計数量を入力ワークメモリ５１のエリアＨに格納し、合計金額をエリアＩに格納する。
【００３２】
しかる後、ＳＴ１７として入力ワークメモリ５１の各エリアＤ〜Ｉに格納した各データで仕入伝票の情報管理レコードを作成する。そして、この情報管理レコードを仕入伝票ファイル４３に登録処理する。
【００３３】
その後、ＳＴ１８として入力ワークメモリ５１のエリアＣに記憶している入力済枚数を「１」だけ増加したならば、ＳＴ１９に進み、入力ワークメモリ５１のエリアＢに記憶している入力予定枚数と同メモリ５１のエリアＣに記憶している入力済枚数とを比較する。そして、入力済枚数が入力予定枚数に満たない場合にはＳＴ２０に進み、入力ワークメモリ５１のエリアＤに記憶している今回伝票番号を同メモリ５１のエリアＡの前回伝票番号に上書き更新する。また、ＳＴ２１として同メモリ５１のエリアＤ〜Ｉを“０”にクリアしたならばＳＴ６に戻り、同メモリ５１のエリアＡ，Ｂ，Ｃに記憶している前回伝票番号，入力予定枚数及び入力済枚数の各データを仕入伝票入力画面３０の領域３７に表示させた後、カーソルを領域３１内に表示させて、伝票番号が入力されるのを待機する。
【００３４】
ＳＴ１９にて入力済枚数が入力予定枚数に一致したことを確認した場合にはＳＴ２２に進み、今回の伝票入力業務で仕入伝票ファイル４３に登録処理された仕入伝票の情報管理レコードの内容をプリンタ１８により記録紙（レシート用紙）にプリントアウトする。そして、プリントアウト後、今回の伝票入力業務としての処理を終了するものとなっている。
【００３５】
なお、ＳＴ４，ＳＴ７，ＳＴ９及びＳＴ１１の仕入伝票に関する項目情報の入力待機状態において、キーボード１２の保留キー２９が入力された場合には、伝票入力業務の一時停止が宣言されたのでＳＴ２３に進み、入力ワークメモリ５１に記憶している各データで保留ファイル４４を作成する（保留ファイル作成手段）。そして、この保留ファイル４４を補助記憶媒体４０に格納したならば、今回の伝票入力業務としての処理を終了するものとなっている。
【００３６】
また、ＳＴ１にて補助記憶媒体４０に保留ファイル４４が記憶保持されていることを確認した場合には、図８に具体的に示す伝票入力画面復元処理を開始する。
先ず、ＳＴ３１として当該保留ファイル４４のデータを入力ワークメモリ５１に展開する。すなわち、保留ファイル４４の伝票番号ｄを入力ワークメモリ５１のエリアＤに展開し、仕入先コードｅをエリアＥに展開し、仕入先名ｆをエリアＦに展開し、前回伝票番号ａをエリアＡに展開し、入力予定枚数ｂをエリアＢに展開し、入力済枚数ｃをエリアＣに展開し、１行目から６行目までの商品明細データをエリアＧ１〜Ｇ６にそれぞれ展開し、合計数量ｈをエリアＨに展開し、合計金額ｉをエリアＩに展開し、入力位置No.をエリアＪに展開する。
【００３７】
こうして、保留ファイル４４のデータを入力ワークメモリ５１に展開し終えたならば、次に、ＳＴ３２として入力ワークメモリ５１のエリアＢをサーチする。ここで、エリアＢのデータ，つまり入力予定枚数が“０”の場合には、前回の伝票入力業務において入力予定枚数の入力待機状態のときに保留キー２９が押下されて伝票入力業務が一時停止されたので、ＳＴ３３としてディスプレイ１６に前記仕入伝票入力画面３０の初期画面を表示させたならば（伝票入力画面復元手段）、図６のＳＴ４に進み、カーソルを領域３７内の２行目に表示させて、入力予定枚数が入力されるのを待機する。
【００３８】
ＳＴ３２にてエリアＢのデータが“０”より大きい場合には、ＳＴ３４としてディスプレイ１６に前記仕入伝票入力画面３０を表示させ（伝票入力画面復元手段）、その領域３７に入力ワークメモリ５１のエリアＡ，Ｂ，Ｃに記憶している前回伝票番号，入力予定枚数及び入力済枚数の各データを表示させる（入力済伝票番号表示制御手段）。しかる後、ＳＴ３６として入力ワークメモリ５１のエリアＤをサーチする。
ここで、エリアＤのデータ，つまり今回伝票番号が“０”の場合には、前回の伝票入力業務において伝票番号の入力待機状態のときに保留キー２９が押下されて伝票入力業務が一時停止されたので、図６のＳＴ７に進み、カーソルを領域３１内に表示させて、伝票番号が入力されるのを待機する。
【００３９】
ＳＴ３６にてエリアＤのデータが“０”より大きい場合には、ＳＴ３７として入力ワークメモリ５１のエリアＥをサーチする。
ここで、エリアＥのデータ，つまり仕入先コードが“０”の場合には、前回の伝票入力業務において仕入先コードの入力待機状態のときに保留キー２９が押下されて伝票入力業務が一時停止されたので、ＳＴ３８としてエリアＤのデータ，つまり今回伝票番号を仕入伝票入力画面３０のエリア３１に表示させた後（伝票入力画面復元手段）、図６のＳＴ９に進み、カーソルを領域３２内に表示させて、仕入先コードが入力されるのを待機する。
【００４０】
ＳＴ３７にてエリアＥのデータが“０”より大きい場合には、ＳＴ３９として入力ワークメモリ５１のエリアＪをサーチする。
ここで、エリアＪのデータ，つまり入力位置Ｎｏ．ｎが“０”の場合には、前回の伝票入力業務において１品目も仕入商品の明細情報が入力されていない時点での明細情報入力待機状態のときに保留キー２９が押下されて伝票入力業務が一時停止されたので、ＳＴ４０としてエリアＤの今回伝票番号とエリアＥの仕入先コードとエリアＦの仕入先名とを仕入伝票入力画面３０のエリア３１，３２，３３にそれぞれ表示させた後（伝票入力画面復元手段）、図７のＳＴ１１に進み、カーソルを領域３４内の１行目に表示させて、最初の仕入商品の明細情報が入力されるのを待機する。
【００４１】
ＳＴ３９にてエリアＪのデータｎが“０”より大きい場合には、前回の伝票入力業務においてｎ品目の仕入商品の明細情報が入力された時点での明細情報入力待機状態のときに保留キー２９が押下されて伝票入力業務が一時停止されたので、ＳＴ４１としてエリアＤの今回伝票番号とエリアＥの仕入先コードとエリアＦの仕入先名とを仕入伝票入力画面３０のエリア３１，３２，３３にそれぞれ表示させるとともに、エリアＧ１〜Ｇｎの仕入商品明細情報を同仕入伝票入力画面３０のエリア３４に表示させた後（伝票入力画面復元手段）、図７のＳＴ１１に進み、カーソルを領域３４内のｎ＋１行目に表示させて、ｎ＋１品目めの仕入商品明細情報が入力されるのを待機する。
【００４２】
このように構成された本実施の形態のＰＯＳターミナルを用いて仕入伝票の情報入力を行う場合には、オペレータは、先ず、メニューキー２２を押下して業務メニュー選択画面をディスプレイ１６に表示させた後、キー操作によって伝票入力業務を選択する。
【００４３】
そうすると、ディスプレイ１６の画面が仕入伝票入力画面３０に切り替わるので、オペレータは、今回入力する仕入伝票の総枚数を置数キー２１で置数し、小計キー２３を押下する。次いで、１枚目の仕入伝票の伝票番号，仕入先コード，仕入商品の明細情報（商品コード，原単価，数量）を順にキー入力する。そして、６品目分の仕入商品明細情報を入力し終えるか、預／現計キー２４を押下すると、仕入伝票の情報管理レコードが作成され、仕入伝票ファイル４に登録処理される。
【００４４】
また、仕入伝票入力画面３０のエリア３７に表示されていた前回伝票番号（＝０）がその直前に情報入力を終えた１枚目の仕入伝票の伝票番号に更新されるとともに、入力済枚数が「１」に更新されるので、次に、オペレータは２枚目の仕入伝票の伝票番号，仕入先コード及び仕入商品の明細情報を順にキー入力する。こうして、入力予定枚数分の仕入伝票の情報入力を完了すると、その入力結果がプリントアウトされるので、オペレータは伝票入力業務を終了する。
【００４５】
ところで、上記伝票入力業務を店の営業時間中に開始したが、入力予定枚数の仕入伝票の情報入力を完了しない間に買物客が来店して買上商品の会計を申し出た場合には、オペレータは直ちに仕入伝票の情報入力を中断して保留キー２９を押下する。そうすると、入力ワークメモリ５１に格納されているデータから保留ファイル４４が作成され、この保留ファイル４４がハードディスクまたはフロッピーディスクの補助記憶媒体に書き込まれる。
【００４６】
そこで、オペレータはメニューキー２２を押下して業務メニュー選択画面をディスプレイ１６に表示させた後、キー操作によって販売登録業務を選択する。そして、買物客が買上げる商品の販売データを登録処理する。
【００４７】
その後、オペレータは、再度メニューキー２２を押下して業務メニュー選択画面をディスプレイ１６に表示させた後、キー操作によって伝票入力業務を選択する。そうすると、保留ファイル４４に記憶保持されていたデータから、保留キー２９を押下して伝票入力業務を一時停止させた時点の入力ワークメモリ５１のデータが復元され、それに基づいて同時点の仕入伝票入力画面３０が再現されてディスプレイ１６に表示される。
【００４８】
したがって、オペレータは、仕入伝票入力画面３０のエリア３１に表示された伝票番号から情報入力を一時停止した仕入伝票を確実に判別することができる。また、次の情報入力項目の位置を示すカーソルから当該仕入伝票のどの項目から情報入力を再開すればよいのかを容易に把握できる。
【００４９】
さらに、仕入伝票入力画面３０のエリア３７に表示される前回伝票番号，入力予定枚数，入力済枚数の各データから、情報入力を終えた仕入伝票と終えていない仕入伝票とを容易に仕訳けすることができる。その結果、同一伝票の情報を重複して入力してしまったり、入力漏れ等のミスを確実に防ぐことができる。
【００５０】
なお、前記一実施の形態では、仕入伝票入力画面３０のエリア３７に直前に情報入力を終えた仕入伝票の伝票番号のみを表示させたが、業務途中で中断させた伝票入力業務において情報入力を終えた全ての仕入伝票の伝票番号を一覧表示させるようにしてもよい。この場合、ディスプレイ１６の画面の大きさの制限から、保留ファイル４４が存在するときに伝票入力業務の開始が指令されたときには、先ず、情報入力を終えた仕入伝票の伝票番号一覧画面をディスプレイ１６に表示させ、確認ＯＫを指令するキー，例えば小計キー２３が入力されると伝票入力画面３０をディスプレイ１６に表示させるようにすると都合がよい。
【００５１】
また、前記一実施の形態では、保留ファイル記憶手段をフロッピーディスクまたはハードディスクの補助記憶媒体としたが、ＲＡＭ３であってもよい。
この他、本発明の情報処理装置は、ＰＯＳターミナルに限定されるものではなく、伝票入力業務とそれ以外の業務とを実行可能な装置であれば、本発明を同様に適用できるものである。また、伝票入力業務において情報入力する伝票も仕入伝票に限定されないのはいうまでもないことである。
【００５２】
【発明の効果】
以上詳述したように、本願請求項１記載の発明によれば、伝票入力業務の途中で他の業務に一旦移行し、その後再び伝票入力業務に戻った際には中断時の伝票データから正確に入力を再開することができ、伝票データの重複入力や入力漏れを確実に防止できる情報処理装置を提供できる。
また、本願請求項２記載の発明によれば、伝票入力業務の再開時において少ない情報量で上記請求項１記載の発明と同等の効果を奏し得る情報処理装置を提供できる。
【図面の簡単な説明】
【図１】  本発明の一実施の形態であるＰＯＳターミナルの要部構成を示すブロック図。
【図２】  同ＰＯＳターミナルのキーボードに配設される主要なキーを示す模式図。
【図３】  同ＰＯＳターミナルのディスプレイに表示される仕入伝票入力画面の一例を示す図。
【図４】  同ＰＯＳターミナルの補助記憶媒体で記憶保持するデータファイルの構成及びそのデータファイルの１つである保留ファイルのレコードレイアウトを示す図。
【図５】  同ＰＯＳターミナルのＲＡＭに形成する入力ワークメモリの構成を示す図。
【図６】  同ＰＯＳターミナルのＣＰＵが実行する伝票入力業務の処理手順の前半部を示す流れ図。
【図７】  同ＰＯＳターミナルのＣＰＵが実行する伝票入力業務の処理手順の後半部を示す流れ図。
【図８】  図６における伝票入力画面復元処理を具体的に示す流れ図。
【符号の説明】
１…ＣＰＵ
２…ＲＯＭ
３…ＲＡＭ
１２…キーボード
１６…ディスプレイ
１８…プリンタ
２９…保留キー
３０…仕入伝票入力画面
４３…仕入伝票ファイル
４４…保留ファイル
５１…入力ワークメモリ
【図１】
0003749420.tif 000002
【図２】
0003749420.tif 000003
【図３】
0003749420.tif 000004
【図４】
0003749420.tif 000005
【図５】
0003749420.tif 000006
【図６】
0003749420.tif 000007
【図７】
0003749420.tif 000008
【図８】
0003749420.tif 000009